(57)【要約】【課題】本発明は、バンド本体の柔軟性を確保しつつ、バンド本体の強度を高めることができ、長寿命で使い易い転倒防止バンドを得ることにある。【解決手段】転倒防止バンド(10)は、可撓性を有する帯状のバンド本体(11)と、バンド本体(11)の長手方向に間隔を存して配置された複数の貫通孔(20)とを備えている。バンド本体(11)は、貫通孔(20)が位置する複数の第１の部分(16)と、この第１の部分(16)に隣り合う複数の第２の部分(17)とを有している。バンド本体(11)の幅方向に沿う第１の部分(16)の断面積と、バンド本体(11)の幅方向に沿う第２の部分(17)の断面積とは互いに等しく設定され、第１の部分(16)と第２の部分(17)との断面積の比率が１：１となっている。【選択図】      図３
2008048780.tif 000002
【特許請求の範囲】
【請求項１】
可撓性を有する帯状のバンド本体と、
上記バンド本体の長手方向に間隔を存して配置され、固定具が挿通可能な複数の貫通孔と、を具備し、
上記バンド本体は、上記貫通孔が位置する複数の第１の部分と、この第１の部分に隣り合う複数の第２の部分とを有し、上記バンド本体の幅方向に沿う上記第１の部分の断面積と、上記バンド本体の幅方向に沿う上記第２の部分の断面積とが互いに等しいことを特徴とする転倒防止バンド。
【請求項２】
請求項１の記載において、上記バンド本体の第１の部分は、上記バンド本体の第２の部分よりも厚み寸法が大きいことを特徴とする転倒防止バンド。
【請求項３】
請求項１又は請求項２の記載において、上記バンド本体の第２の部分は、上記バンド本体の第１の部分よりも上記バンド本体の長手方向に沿う長さ寸法が大きいことを特徴とする転倒防止バンド。
【請求項４】
請求項１の記載において、上記バンド本体は、溶融状態にある可撓性材料を型内に充填してなる型成形品であり、上記可撓性材料は、バンド本体の長手方向に沿う一端から他端に向けて型内に充填され、上記可撓性材料の流れ方向に沿う下流端に上記第１の部分のうちの一つが位置するとともに、この下流端に位置する第１の部分は、上記可撓性材料の流れ方向に沿って延長された肉付け部を有することを特徴とする転倒防止バンド。
【請求項５】
可撓性を有する帯状のバンド本体を含む転倒防止バンドであって、
上記バンド本体は、固定具を通す貫通孔が形成された複数の第１の部分と、上記第１の部分よりも厚み寸法が小さな複数の第２の部分とを有し、上記第１の部分と上記第２の部分とは、上記バンド本体の長手方向に沿って交互に並んでいるとともに、上記バンド本体の幅方向に沿う上記第１の部分の断面積と、上記バンド本体の幅方向に沿う上記第２の部分の断面積との比率が１：１であることを特徴とする転倒防止バンド。
【請求項６】
請求項５の記載において、上記バンド本体の第２の部分は、上記バンド本体の第１の部分よりも上記バンド本体の長手方向に沿う長さ寸法が大きいことを特徴とする転倒防止バンド。
【請求項７】
請求項５又は請求項６の記載において、上記バンド本体は、表面および裏面を有し、上記第１の部分は上記第２の部分よりも上記バンド本体の表面の方向に突出するとともに、上記バンド本体の裏面はフラットであることを特徴とする転倒防止バンド。
【請求項８】
ディスプレイ本体を支持して据付部材の上に置かれるスタンドと、
上記スタンドと上記据付部材との間に跨って架け渡され、上記ディスプレイ本体の転倒を防止する転倒防止バンドと、を具備するディスプレイ装置であって、
上記転倒防止バンドは、
可撓性を有する帯状のバンド本体と、
上記バンド本体の長手方向に間隔を存して配置され、上記スタンドおよび上記据付部材に固定される固定具が挿通可能な複数の貫通孔と、を含み、
上記バンド本体は、上記貫通孔が位置する複数の第１の部分と、この第１の部分と隣り合う複数の第２の部分とを有し、上記バンド本体の幅方向に沿う上記第１の部分の断面積と、上記バンド本体の幅方向に沿う上記第２の部分の断面積とが互いに等しいことを特徴とするディスプレイ装置。
【請求項９】
請求項８の記載において、上記バンド本体は、その長手方向に沿う一端に位置する第１の端部と、上記バンド本体の長手方向に沿う他端に位置する第２の端部と、上記第１の端部と上記第２の端部との間の中間に位置する中間部とを有し、上記バンド本体の中間部よりも上記バンド本体の第２の端部の方向にずれて位置する特定の一つの貫通孔に上記固定具が挿通されるとともに、この固定具を介して上記バンド本体が上記スタンドに保持されていることを特徴とするディスプレイ装置。
【請求項１０】
請求項９の記載において、上記バンド本体は、上記特定の貫通孔の位置を示すマークを有することを特徴とするディスプレイ装置。
【発明の詳細な説明】
【技術分野】
【０００１】
本発明は、例えば液晶テレビの転倒を防止する転倒防止バンドおよびこの転倒防止バンドを装備した液晶テレビのような薄型のディスプレイ装置に関する。
【背景技術】
【０００２】
液晶テレビあるいはプラズマテレビのような薄型テレビは、薄型テレビの転倒を防止するための転倒防止バンドを装備している。
【０００３】
転倒防止バンドは、可撓性を有する合成樹脂製のバンド本体を有している。バンド本体は、細長い帯状をなしており、このバンド本体の長手方向に沿って複数の貫通孔が形成されている。貫通孔は、転倒防止バンドを薄型テレビのスタンドや薄型テレビが置かれるテレビ台に固定するねじを通すためのものであり、バンド本体の長手方向に一定のピッチで一列に並んでいる。
【０００４】
従来の転倒防止バンドでは、バンド本体の長手方向に沿う一端側に位置する貫通孔にねじを通し、このねじを薄型テレビのスタンドにねじ込むことで、バンド本体の一端をスタンドに固定している。
【０００５】
バンド本体の他端側は、スタンドの外に引き出されており、このバンド本体の他端側に位置する貫通孔のうち、テレビ台に対応する位置の貫通孔にねじを挿通し、このねじを天板にねじ込むことでバンド本体の他端をテレビ台に固定している（例えば、特許文献１および特許文献２参照）。
【特許文献１】登録実用新案公報第３０１６２３６号
【特許文献２】特開２００４−２９１９７２号公報
【発明の開示】
【発明が解決しようとする課題】
【０００６】
従来の転倒防止バンドによると、ねじを通す複数の貫通孔は、転倒防止バンドとテレビ台との位置合せを容易に行えるように、例えば９mm程度の狭いピッチで密に並んでいる。
【０００７】
この際、バンド本体のうち貫通孔が開口する部分は、貫通孔の間に位置する部分よりも強度が低下する傾向にある。この強度不足を補うために、従来では、貫通孔の開口縁部に貫通孔の周方向に連続するリブを形成することが行われている。
【０００８】
しかしながら、数多くの貫通孔が狭いピッチで一列に並んでいると、隣り合う貫通孔の間にリブを形成するスペースを十分に確保することができなくなり、リブの大きさに制約が生じてくる。
【０００９】
この結果、バンド本体の幅方向に沿う断面積を貫通孔が位置する部分と貫通孔の間に位置する部分とで比較した場合に、貫通孔の間に位置する部分と貫通孔を有する部分との断面積の比率が例えば１：０．７２となっている。そのため、貫通孔が位置する部分と貫通孔の間に位置する部分との間の断面積の比率が不適切なものとなり、バンド本体に引張り荷重が作用した時に、貫通孔の位置でバンド本体が破損する虞があり得る。
【００１０】
さらに、従来の転倒防止バンドでは、バンド本体のうち貫通孔の間に位置する部分の断面積が過剰となっており、これが原因で転倒防止バンドの柔軟性が損なわれてしまう。そのため、転倒防止バンドを所望の形状に曲げ難くなり、転倒防止バンドの使い勝手が悪くなるといった不具合がある。
【００１１】
本発明の目的は、バンド本体の柔軟性を確保しつつ、バンド本体の強度を高めることができ、長寿命で使い易い転倒防止バンドを得ることにある。
【００１２】
本発明の他の目的は、長寿命で使い易い転倒防止バンドを有するディスプレイ装置を得ることにある。
【課題を解決するための手段】
【００１３】
上記目的を達成するため、本発明の一つの形態に係る転倒防止バンドは、  
可撓性を有する帯状のバンド本体と、  
上記バンド本体の長手方向に間隔を存して配置され、固定具が挿通可能な複数の貫通孔と、を備えている。  
上記バンド本体は、上記貫通孔が位置する複数の第１の部分と、この第１の部分に隣り合う複数の第２の部分とを有し、上記バンド本体の幅方向に沿う上記第１の部分の断面積と、上記バンド本体の幅方向に沿う上記第２の部分の断面積とが互いに等しいことを特徴としている。
【００１４】
上記目的を達成するため、本発明の一つの形態に係るディスプレイ装置は、  
ディスプレイ本体を支持して据付部材の上に置かれるスタンドと、  
上記スタンドと上記据付部材との間に跨って架け渡され、上記ディスプレイ本体の転倒を防止する転倒防止バンドと、を備えている。  
上記転倒防止バンドは、  
可撓性を有する帯状のバンド本体と、  
上記バンド本体の長手方向に間隔を存して配置され、上記スタンドおよび上記据付部材に固定される固定具が挿通可能な複数の貫通孔と、を含み、  
上記バンド本体は、上記貫通孔が位置する複数の第１の部分と、この第１の部分と隣り合う複数の第２の部分とを有し、上記バンド本体の幅方向に沿う上記第１の部分の断面積と、上記バンド本体の幅方向に沿う上記第２の部分の断面積とが互いに等しいことを特徴としている。
【発明の効果】
【００１５】
本発明によれば、バンド本体のうち貫通孔が位置する第１の部分と、それ以外の第２の部分との間の断面積の比率が適正となる。このため、例えばバンド本体に引っ張り荷重が加わった時に、貫通孔が開口する第１の部分に応力が集中し難くなり、バンド本体の強度が向上する。それとともに、バンド本体の第２の部分の肉厚が過剰となるのを防止でき、バンド本体の柔軟性を確保できる。したがって、曲げ易く、長寿命な転倒防止バンドを提供できる。
【発明を実施するための最良の形態】
【００１６】
以下本発明の実施の形態を、図面に基づいて説明する。
【００１７】
図１は、ディスプレイ装置の一例である薄型の液晶テレビ１を開示している。液晶テレビ１は、ディスプレイ本体２とスタンド３とを備えている。
【００１８】
ディスプレイ本体２は、図示しない液晶表示パネルを収容している。スタンド３は、テレビ台４の上にディスプレイ本体２を支持するためのものである。テレビ台４は、据付部材の一例であって、平坦な上面４ａと、この上面４ａの後端から下向きに延びる後面４ｂとを有している。
【００１９】
スタンド３は、テレビ台４の上面４ａの上に置かれる偏平なベース５を備えている。ベース５の上面の中央部に上向きに突出する支柱６が形成されている。支柱６は、ディスプレイ本体２を支えている。ベース５の底面の外周部に複数のゴム製の脚部７（図２に一つのみを図示）が取り付けられている。脚部７は、テレビ台４の上面４ａに接している。このため、テレビ台４の上面４ａとベース５の底との間に、脚部７の厚みに対応する僅かな隙間Ｇが形成されている。
【００２０】
液晶テレビ１は、転倒防止バンド１０を装備している。転倒防止バンド１０は、テレビ台４の上に置かれた液晶テレビ１の転倒を防止するためのものであり、液晶テレビ１のスタンド３とテレビ台４の後面４ｂとの間に架け渡されている。
【００２１】
図２ないし図４に示すように、転倒防止バンド１０は、バンド本体１１を備えている。バンド本体１１は、例えば幅寸法Ｗが１４mm、長さ寸法Ｌが２５５mmの帯状をなしている。バンド本体１１は、長手方向に沿う一端に位置する第１の端部１２と、長手方向に沿う他端に位置する第２の端部１３と、第１の端部１２と第２の端部１３との間の中間に位置する中間部１４とを有している。このようなバンド本体１１は、例えばナイロンのような熱可塑性樹脂材料によって造られており、手で自由な形状に曲げられるような可撓性を有している。
【００２２】
バンド本体１１は、複数の第１の部分１６と複数の第２の部分１７とを備えている。第１の部分１６と第２の部分１７とは、バンド本体１１の長手方向に交互に配置されて、バンド本体１１の長手方向に沿って一列に並んでいる。
【００２３】
バンド本体１１の第１の部分１６の厚み寸法Ｔ１は、第２の部分１７の厚み寸法Ｔ２よりも大きく設定されている。本実施の形態の場合、第１の部分１６の厚み寸法Ｔ１は例えば２．２mmであり、第２の部分１７の厚み寸法Ｔ２は例えば１．５mmとなっている。第１の部分１６は、バンド本体１１の表面１８の方向に０．７mm突出している。
【００２４】
これにより、バンド本体１１の表面１８は、第１の部分１６と第２の部分１７との境界部分に段差を有する凹凸な面となっている。これに対し、バンド本体１１の裏面１９は、第１の部分１６と第２の部分１７との境界部分に段差がないフラットな面となっている。
【００２５】
さらに、バンド本体１１の第２の部分１７は、バンド本体１１の第１の部分１６よりもバンド本体１１の長手方向に沿う長さ寸法が大きく設定されている。
【００２６】
図３および図５に示すように、第１の部分１６の中央部に夫々円形の貫通孔２０が形成されている。貫通孔２０は、バンド本体１１を液晶テレビ１のスタンド３に固定するねじ２１およびバンド本体１１をテレビ台４の後面４ｂに固定するねじ２２を通すためのものである。ねじ２１，２２は、固定具の一例であり、互いに共通の部品となっている。
【００２７】
貫通孔２０は、バンド本体１１の第２の部分１７を間に挟んで互いに隣り合うとともに、バンド本体１１の長手方向に沿って一列に並んでいる。隣り合う貫通孔２０の間のピッチＰは、例えば１８mmであり、バンド本体１１の幅寸法Ｗを上回っている。
【００２８】
図５は、貫通孔２０の中央を通り、かつバンド本体１１の幅方向に沿う第１の部分１６の断面形状を示している。同様に図６は、バンド本体１１の幅方向に沿う第２の部分１７の断面形状を示している。本実施の形態の転倒防止バンド１０によると、貫通孔２０の中央を通り、かつバンド本体１１の幅方向に沿う第１の部分１６の断面積をＳ１とし、バンド本体１１の幅方向に沿う第２の部分１７の断面積をＳ２とした時に、Ｓ１＝Ｓ２の関係を満たしている。この結果、バンド本体１１の第１の部分１６と第２の部分１７とでは、その断面積の比率が１：１となっている。
【００２９】
さらに、本実施の形態によると、バンド本体１１の第１の端部１２は、第２の部分１７によって形成され、バンド本体１１の第２の端部１３は、貫通孔２０を有する第１の部分１６によって形成されている。
【００３０】
このような転倒防止バンド１０は、ねじ２１を介して液晶テレビ１のスタンド３に組み付けられている。ねじ２１は、バンド本体１１の中間部１４よりも第２の端部１３の方向にずれた位置にある特定の第１の部分１６の貫通孔２０を貫通している。本実施の形態では、ねじ２１は、第２の端部１３から数えて四つ目の貫通孔２０を貫通して、スタンド３の底にねじ込まれている。
【００３１】
このねじ２１が貫通する貫通孔２０の位置を明確にするため、図４に示すように、バンド本体１１の裏面１９に四つ目の貫通孔２０を取り囲むざぐり部２３が形成されている。ざぐり部２３は、ねじ２１を通す貫通孔２０の位置を示すマークの一例であって、バンド本体１１の裏面１９から僅かに凹んでいる。
【００３２】
このざぐり部２３の存在により、ねじ２１を通すべき特定の貫通孔２０を簡単に見極めることができる。したがって、スタンド３に対する転倒防止バンド１０の組み付け作業を容易に行うことができる。
【００３３】
なお、ねじ２１を通す特定の貫通孔２０を示すマークは、ざぐり部に限らない。例えばバンド本体１１の裏面１９に矢印を刻印したり、シールを貼り付けるようにしてもよい。
【００３４】
転倒防止バンド１０をテレビ台４に固定するには、バンド本体１１をスタンド３に固定しているねじ２１を中心としてバンド本体１１を回転させる。この回転により、図１および図２に示すように、バンド本体１１の第１の端部１２がスタンド３とテレビ台４の上面４ａとの間の隙間Ｇを通してスタンド３の後方に露出する。
【００３５】
この状態で、例えばバンド本体１１の第１の端部１２をテレビ台４の後面４ｂに突き合わせるとともに、第１の端部１２に隣り合う貫通孔２０にねじ２２を挿通する。このねじ２２をテレビ台４の後面４ｂにねじ込むことで、バンド本体１１がスタンド３とテレビ台４との間に跨って架け渡される。
【００３６】
一方、このような転倒防止バンド１０のバンド本体１１としては、溶融状態にある熱可塑性樹脂材料を型内に充填してなる型成形品が用いられている。このバンド本体１１を成形するに当って、成形用の型は、バンド本体１１の第１の端部１２に対応する位置に熱可塑性樹脂材料を注入するゲートを有している。熱可塑性樹脂材料は、バンド本体１１の第１の端部１２の方向から第２の端部１３に向けて型内に充填される。型は、貫通孔２０を形成するための複数の柱部を有し、これら柱部は、熱可塑性樹脂材料の流れ経路に露出している。
【００３７】
このため、図７に矢印で示すように、型内を流動する熱可塑性樹脂材料は、柱部に対応する位置で流れが二つに分岐されるとともに、分岐された流れは、柱部の下流側で互いに合流することとなる。
【００３８】
この際、型内を流れる熱可塑性樹脂材料は、バンド本体１１の第２の端部１３に対応する下流端の方向に進むに従い温度が低下し、流動性が悪くなるのを避けられない。そのため、バンド本体１１の第２の端部１３に対応する位置では、柱部で分岐された熱可塑性樹脂材料の流れが合流する際に、この熱可塑性樹脂材料の混合性が低下する。
【００３９】
この結果、バンド本体１１の第２の端部１３に図７に示すような熱可塑性樹脂材料の合流位置を示すウエルド２４が形成されることがあり得る。ウエルド２４は、第２の端部１３に位置する貫通孔２０から熱可塑性樹脂材料の流れ方向に沿う下流側に向けて延びている。
【００４０】
このため、例えば第２の端部１３に位置する貫通孔２０にねじ２２を通して、このねじ２２で第２の端部１３をテレビ台４に締め付けた場合に、ウエルド２４の部分でバンド本体１１が破断する虞があり得る。
【００４１】
これを改善するため、本実施の形態では、バンド本体１１の第２の端部１３に、熱可塑性樹脂材料の流れ方向に沿うように円弧状に張り出す肉付け部２５を一体に形成している。この肉付け部２５の存在により、第２の端部１３に位置する第１の部分１６の形状が熱可塑性樹脂材料の流れ方向に沿って拡張され、第２の端部１３の先端縁から貫通孔２０までの長さが増大する。
【００４２】
この結果、ウエルド部２４を有する第２の端部１３を補強することができ、たとえ第２の端部１３をねじ２２でテレビ台４に固定した場合でも、この第２の端部１３の破損を防止することができる。
【００４３】
本実施の形態に係る転倒防止バンド１０によれば、貫通孔２０が位置する第１の部分１６と、それ以外の第２の部分１７との間の断面積の比率を１：１としたので、第１の部分１６と第２の部分１７との間の断面積の比率が適正となる。
【００４４】
このため、転倒防止バンド１０が液晶テレビ１とテレビ台４との間で長手方向に引っ張られて、バンド本体１１に引っ張り荷重が加わった場合でも、貫通孔２０が開口する第１の部分１６に応力が集中し難くなる。よって、転倒防止バンド１０の破壊強度が向上し、転倒防止バンド１０の寿命が長くなる。
【００４５】
加えて、バンド本体１１の断面積比率の適正化により、第２の部分１７の肉厚が過剰となるのを防止できる。さらに、バンド本体１１の幅寸法Ｗよりも貫通孔２０のピッチＰが大きいので、バンド本体１１の強度を確保しつつ、バンド本体１１の柔軟性を高めることができる。よって、転倒防止バンド１０を自由な形状に容易に曲げることができ、転倒防止バンド１０の使い勝手が良好となる。
【００４６】
さらに、バンド本体１１の第２の部分１７の肉厚が過剰とならずに済むので、熱可塑性材料の無駄使いを排除することができる。このため、転倒防止バンド１０の製造コストの上昇を極力抑えることができる。
【００４７】
本発明に係るディスプレイ装置は、液晶テレビに特定されるものではなく、例えばプラズマテレビあるいはデスクトップ型のコンピュータに用いるモニタであってもよい。
【００４８】
さらに、バンド本体の材質にしてもナイロンに限らず、例えばポリプロピレンのようなその他の樹脂材料を用いることもできる。
【図面の簡単な説明】
【００４９】
【図１】本発明の実施の形態において、液晶テレビとテレビ台との間に転倒防止バンドを架け渡した状態を示す斜視図。
【図２】本発明の実施の形態において、液晶テレビとテレビ台との間に転倒防止バンドを架け渡した状態を示す断面図。
【図３】本発明の実施の形態に係る転倒防止バンドの斜視図。
【図４】本発明の実施の形態において、転倒防止バンドを裏側から見た斜視図。
【図５】図３のF5-F5線に沿う断面図。
【図６】図３のF6-F6線に沿う断面図。
【図７】本発明の実施の形態に係る転倒防止バンドの第２の端部の平面図。
【符号の説明】
【００５０】
２…ディスプレイ本体、３…スタンド、４…据付部材（テレビ台）、１０…転倒防止バンド、１１…バンド本体、１６…第１の部分、１７…第２の部分、２０…貫通孔、２１，２２…固定具（ねじ）。
【図１】
2008048780.tif 000003
【図２】
2008048780.tif 000004
【図３】
2008048780.tif 000005
【図４】
2008048780.tif 000006
【図５】
2008048780.tif 000007
【図６】
2008048780.tif 000008
【図７】
2008048780.tif 000009